(57)【要約】      （修正有）【課題】不必要な磁場遮断を減らすことのできる磁気共鳴イメージング装置を提供する。【解決手段】磁気共鳴イメージング装置は、静磁場磁石１０１と、ヒーター回路２と、ボタンと、警告部とを備える。静磁場磁石は、超電導コイルを有する。ヒーター回路は、超電導コイルの巻線内に又は超電導コイルの巻線に近接して配置される。ボタンは、ユーザから押される動作を検出した場合に、ヒーター回路に電流を供給する。警告部は、動作の予備動作及び動作のうち少なくとも一方をトリガとして、ユーザに向けて警告を発する。【選択図】図２
2020044032.tif 000002
【特許請求の範囲】
【請求項１】
超電導コイルを有する静磁場磁石と、
前記超電導コイルの巻線内に又は前記超電導コイルの巻線に近接して配置されるヒーター回路と、
ユーザにより押される動作を検出した場合に、前記ヒーター回路に電流を供給するボタンと、
前記動作の予備動作及び前記動作のうち少なくとも一方をトリガとして、前記ユーザに向けて警告を発する警告部と
を備える磁気共鳴イメージング装置。
【請求項２】
前記ユーザから受け付けた入力の内容を記録する記憶部を更に備える、請求項１に記載の磁気共鳴イメージング装置。
【請求項３】
前記警告は、磁場の消失に伴う物体の落下について前記ユーザに注意を促す音声である、請求項１に記載の磁気共鳴イメージング装置。
【請求項４】
前記ボタンは、前記動作を検出した場合、前記ユーザからの追加の操作なしに、前記ヒーター回路に、前記超電導コイルが超電導状態から常伝導状態へと転移するのに必要な量の電流を供給する、請求項１に記載の磁気共鳴イメージング装置。
【請求項５】
前記ボタンを覆う変形可能な素材、前記ボタンを覆う容器の蓋、光、音波、容量結合型センサ、静電型センサのうち少なくとも一つを用いて前記予備動作を検出する、請求項１に記載の磁気共鳴イメージング装置。
【請求項６】
患者を監視するカメラをさらに備え、前記カメラから得られた情報を画像解析してボア内における人の有無を判定する判定部を更に備える、請求項１に記載の磁気共鳴イメージング装置。
【請求項７】
患者を監視するカメラをさらに備え、前記カメラは撮影室の扉が開いた時に電源が入るように構成される、請求項１に記載の磁気共鳴イメージング装置。
【請求項８】
前記警告部は、ボア内または撮影室内の人の存在を検知し、検知結果に基づいて、前記警告の内容を変化させる、請求項１に記載の磁気共鳴イメージング装置。
【請求項９】
前記警告部は、寝台及び外装のうち少なくとも一方に配置された荷重を検出するセンサから得られる情報に基づいて、前記警告の内容を変化させる、請求項１に記載の磁気共鳴イメージング装置。
【請求項１０】
前記警告部は、前記ユーザに向けて前記警告を発した場合、磁気共鳴イメージング装置に備えつけられたコンピュータであるホストコンピュータ及び、前記ホストコンピュータ以外のコンピュータであって、パルスシーケンスを実行するシーケンス制御部と通信可能であるコンピュータであるサービスコンピュータの少なくとも一方に対してメッセージを通知する、請求項１に記載の磁気共鳴イメージング装置。
【請求項１１】
前記ユーザからの入力を受け付ける入力部を更に備える、請求項１に記載の磁気共鳴イメージング装置。
【請求項１２】
超電導コイルを有する静磁場磁石と、
前記超電導コイルの巻線内に又は前記超電導コイルの巻線に近接して配置されるヒーター回路と、
ユーザが接触する動作を検出した場合に、前記ヒーター回路に電流を供給するボタンと、
前記動作の予備動作及び前記動作のうち少なくとも一方をトリガとして、前記ユーザに向けて警告を発する警告部と
を備える静磁場磁石ユニット。
【発明の詳細な説明】
【技術分野】
【０００１】
本発明の実施形態は、磁気共鳴イメージング装置及び静磁場磁石ユニットに関する。
【背景技術】
【０００２】
磁気共鳴イメージング装置には、ＥＲＤＵ（Ｅｍｅｒｇｅｎｃｙ  Ｒｕｎ  Ｄｏｗｎ  Ｕｎｉｔ）ボタンが設けられる。ＥＲＤＵボタンは、磁場を緊急停止するためのボタンである。ＥＲＤＵボタンが押されると、磁気共鳴イメージング装置の静磁場磁石の巻線内に設置されているヒーター回路に電流が流れる。この電流による熱により超電導状態が破壊されコイルが常伝導状態になることで、磁場が緊急遮断される。
【０００３】
一方で、磁場を緊急停止する必要がある場合以外の状況では、静磁場電源を用いた消磁により、磁場を遮断することもできる。ＥＲＤＵボタンを押して磁場を緊急停止した場合、例えば冷媒の液体ヘリウムが蒸発し、多額の費用負担が生じる場合があるので、特に緊急性がない場合においては、ＥＲＤＵボタンを用いた磁場の遮断ではなく、静磁場電源を用いた磁場の遮断のほうが望ましい。
【０００４】
しかしながら、ユーザの知識が不足している場合等、特に緊急性がない状況においても、ＥＲＤＵボタンを押すことにより磁場の遮断が行われることがあった。
【先行技術文献】
【特許文献】
【０００５】
【特許文献１】特開２０１２−１８８２４０号公報
【特許文献２】特開２０１６−２００９７４号公報
【発明の概要】
【発明が解決しようとする課題】
【０００６】
本発明が解決しようとする課題は、不必要な緊急磁場遮断を減らすことである。
【課題を解決するための手段】
【０００７】
実施形態に係る磁気共鳴イメージング装置は、静磁場磁石と、ヒーター回路と、ボタンと、警告部とを備える。静磁場磁石は、超電導コイルを有する。ヒーター回路は、超電導コイルの巻線内に又は前記超電導コイルの巻線に近接して配置される。ボタンは、ユーザから押される動作を検出した場合に、ヒーター回路に電流を供給する。警告部は、前記動作の予備動作及び前記動作のうち少なくとも一方をトリガとして、前記ユーザに向けて警告を発する。
【図面の簡単な説明】
【０００８】
【図１】図１は、実施形態に係る磁気共鳴イメージング装置を示した図である。
【図２】図２は、実施形態に係る磁気共鳴イメージング装置を示した図である。
【図３】図３は、第１の実施形態に係る磁気共鳴イメージング装置の行う処理を示したフローチャートである。
【図４Ａ】図４Ａは、第１の実施形態に係る磁気共鳴イメージング装置におけるユーザのセンサの例について説明した図である。
【図４Ｂ】図４Ｂは、第１の実施形態に係る磁気共鳴イメージング装置におけるセンサの例について説明した図である。
【図４Ｃ】図４Ｃは、第１の実施形態に係る磁気共鳴イメージング装置におけるセンサの例について説明した図である。
【図４Ｄ】図４Ｄは、第１の実施形態に係る磁気共鳴イメージング装置におけるセンサの例について説明した図である。
【図５】図５は、第１の実施形態に係る磁気共鳴イメージング装置において表示される画面の一例を示した図である。
【図６】図６は、第１の実施形態に係る磁気共鳴イメージング装置において表示される画面の一例を示した図である。
【図７】図７は、第１の実施形態に係る磁気共鳴イメージング装置が通知する画面の一例を示した図である。
【図８】図８は、第２の実施形態に係る磁気共鳴イメージング装置において表示される画面の一例を示した図である。
【図９】図９は、第２の実施形態に係る磁気共鳴イメージング装置において表示される画面の一例を示した図である。
【発明を実施するための形態】
【０００９】
以下、添付図面を用いて、実施形態に係る磁気共鳴イメージング装置を詳細に説明する。
【００１０】
（第１の実施形態）
図１は、実施形態に係る磁気共鳴イメージング装置１００を示す図である。図１に示すように、磁気共鳴イメージング装置１００は、静磁場磁石１０１と、ＥＲＤＵ（Ｅｍｅｒｇｅｎｃｙ  Ｒｕｎ  Ｄｏｗｎ）ボタン１と、入力装置３と、ディスプレイ４と、センサ１２と、傾斜磁場コイル１０３と、傾斜磁場電源１０４と、寝台１０５と、寝台制御回路１０６と、送信コイル１０７と、送信回路１０８と、受信コイル１０９と、受信回路１１０と、シーケンス制御回路１２０と、画像処理装置１３０と、を備える。また、磁気共鳴イメージング装置１００は、必要に応じて、カメラ５を備えても良い。なお、磁気共鳴イメージング装置１００に、被検体Ｐ（例えば、人体）は含まれない。また、図１に示す構成は一例に過ぎない。例えば、シーケンス制御回路１２０及び画像処理装置１３０内の各部は、適宜統合若しくは分離して構成されてもよい。
【００１１】
静磁場磁石１０１は、中空の略円筒形状に形成された磁石であり、内部の空間に静磁場を発生する。静磁場磁石１０１は、例えば、超電導磁石等であり、超電導コイルを有する。静磁場磁石１０１が有する超電導コイルは、静磁場電源（図示されていない）から電流の供給を受けて励磁する。なお、静磁場電源は、磁気共鳴イメージング装置１００とは別に備えられてもよい。  
【００１２】
また、静磁場磁石１０１が有する超電導コイルの巻線内に、又は静磁場磁石１０１が有する超電導コイルの巻線に近接して、ヒーター回路２が配置される。ヒーター回路２は、電流が供給された場合、発熱し、静磁場磁石１０１の超電導コイルの巻線の温度を、超電導転移温度より高い温度に転移させる。この結果、静磁場磁石１０１の超電導コイルは、超電導状態から常伝導状態へと転移し、静磁場磁石１０１の磁場が失われる。ヒーター回路２は、磁場を緊急停止するためのボタンであるＥＲＤＵボタン１と接続される。
【００１３】
ＥＲＤＵボタン１は、ヒーター回路２と接続され、ユーザにより押される動作を検出した場合に、ヒーター回路２に、電流を供給する。ＥＲＤＵボタン１は、押している間だけスイッチがオンになるプッシュ型スイッチと電気回路との組み合わせで構成されたボタン、押すたびにオンとオフが反転するプッシュロックスイッチと電気回路との組み合わせで構成されたボタン、機械的に動作する機構がなく圧力や静電気などを感知するタッチボタン等として構成される。また、ＥＲＤＵボタン１は、タッチパネル上の表示であってもよい。ＥＲＤＵボタン１の取りうる形状としては、円錐形をしたコーン型、周囲から突き出た軸の先に、大きく中央が膨らんだ円盤がついているキノコ型、平らになっている平形、凸型、凹形、丸型、角型などが挙げられる。実施形態によっては、ＥＲＤＵボタン１は、ユーザから押される動作を検出した場合、ユーザからの追加の操作なしに、ヒーター回路２に、静磁場磁石１０１に埋め込まれた超電導コイルが超電導状態から常伝導状態へと転移するのに必要な量の電流を供給し、いわゆるワン・アクションで磁場の緊急遮断を行うことができる。
【００１４】
なお、ＥＲＤＵボタン１は、画像処理装置１３０と接続され、ＥＲＤＵボタン１が押されたか否かの情報は、画像処理装置１３０の有する処理回路１５０に通知される。
【００１５】
ディスプレイ４は、例えばＥＲＤＵボタン１の近くに配置される、液晶表示器等の表示デバイスであり、後述の警告部からユーザに向けて発せられた警告を表示するための画面である。また、入力装置３は、ユーザからの入力を受け付ける装置である。入力装置３は、例えば、マウスやトラックボール等のポインティングデバイス、モード切替スイッチ等の選択デバイス、あるいはキーボード等の入力デバイスである。また、タッチパネルの表示画面がディスプレイ４として機能し、タッチパネルの表示画面上に表示されるボタンが入力装置３として機能することにより、タッチパネルが入力装置３及びディスプレイ４の役割を併せ持ってもよい。なお、入力装置３は、入力部の一例である。なお、入力装置３及びディスプレイ４は、画像処理装置１３０と接続され、各種情報を画像処理装置１３０に送信し、又は各種情報を画像処理装置１３０から受信する。ディスプレイ４及び後述のディスプレイ１３５は、表示部の一例である。なお、入力装置３及びディスプレイ４は、典型的には、例えばガントリのある検査室のシールドルーム内に配置される。
【００１６】
カメラ５は、ボア内を確認可能なカメラであり、例えば患者の状態を監視する目的で使用することもできる。実施形態によっては、カメラ５は、撮影室の扉が開いた時に電源が入るように構成されてもよい。
【００１７】
センサ１２は、ＥＲＤＵボタン１がユーザにより押される動作の予備動作を検出するためのセンサである。センサ１２の構成は、図４において説明する。
【００１８】
図２は、実施形態に係る磁気共鳴イメージング装置１００を示した図であり、ＥＲＤＵボタン１、ヒーター回路２、入力装置３、ディスプレイ４、カメラ５、荷重センサ６、スピーカー７、センサ１２及び画像処理装置１３０等の配置関係等を示した図である。図２においては、タッチパネル２００の表示画面２０１がディスプレイ４として機能し、タッチパネル２００の表示画面上に表示されるボタン２０２が入力装置３として機能する場合について説明している。荷重センサ６については、第２の実施形態において説明する。
【００１９】
図２に示されるように、ＥＲＤＵボタン１は、静磁場磁石１０１の超電導コイルの巻線内に埋め込まれたヒーター回路２、入力装置３及びディスプレイ４として機能するタッチパネル２００、カメラ５、荷重センサ６、スピーカー７、センサ１２、画像処理装置１３０のそれぞれと接続されている。
【００２０】
図１に戻り、傾斜磁場コイル１０３は、中空の略円筒形状に形成されたコイルであり、静磁場磁石１０１の内側に配置される。傾斜磁場コイル１０３は、互いに直交するＸ、Ｙ、及びＺの各軸に対応する３つのコイルが組み合わされて形成されており、これら３つのコイルは、傾斜磁場電源１０４から個別に電流の供給を受けて、Ｘ、Ｙ、及びＺの各軸に沿って磁場強度が変化する傾斜磁場を発生する。傾斜磁場コイル１０３によって発生するＸ、Ｙ、及びＺの各軸の傾斜磁場は、例えば、スライス用傾斜磁場Ｇs、位相エンコード用傾斜磁場Ｇe、及びリードアウト用傾斜磁場Ｇrである。傾斜磁場電源１０４は、傾斜磁場コイル１０３に電流を供給する。
【００２１】
寝台１０５は、被検体Ｐが載置される天板１０５ａを備え、寝台制御回路１０６による制御の下、天板１０５ａを、被検体Ｐが載置された状態で、傾斜磁場コイル１０３の空洞（撮像口）内へ挿入する。通常、寝台１０５は、長手方向が静磁場磁石１０１の中心軸と平行になるように設置される。寝台制御回路１０６は、画像処理装置１３０による制御の下、寝台１０５を駆動して天板１０５ａを長手方向及び上下方向へ移動する。
【００２２】
送信コイル１０７は、傾斜磁場コイル１０３の内側に配置され、送信回路１０８からＲＦ（Ｒａｄｉｏ  Ｆｒｅｑｕｅｎｃｙ）パルスの供給を受けて、高周波磁場を発生する。送信回路１０８は、対象とする原子の種類及び磁場強度で定まるラーモア（Larmor）周波数に対応するＲＦパルスを送信コイル１０７に供給する。
【００２３】
受信コイル１０９は、傾斜磁場コイル１０３の内側に配置され、高周波磁場の影響によって被検体Ｐから発せられる磁気共鳴信号を受信する。受信コイル１０９は、磁気共鳴信号を受信すると、受信した磁気共鳴信号を受信回路１１０へ出力する。
【００２４】
なお、上述した送信コイル１０７及び受信コイル１０９は一例に過ぎない。送信機能のみを備えたコイル、受信機能のみを備えたコイル、若しくは送受信機能を備えたコイルのうち、１つ若しくは複数を組み合わせることによって構成されればよい。
【００２５】
受信回路１１０は、受信コイル１０９から出力される磁気共鳴信号を検出し、検出した磁気共鳴信号に基づいて磁気共鳴データを生成する。具体的には、受信回路１１０は、受信コイル１０９から出力される磁気共鳴信号をデジタル変換することによって磁気共鳴データを生成する。また、受信回路１１０は、生成した磁気共鳴データをシーケンス制御回路１２０へ送信する。なお、受信回路１１０は、静磁場磁石１０１や傾斜磁場コイル１０３等を備える架台装置側に備えられてもよい。
【００２６】
シーケンス制御回路１２０は、画像処理装置１３０から送信されるシーケンス情報に基づいて、傾斜磁場電源１０４、送信回路１０８及び受信回路１１０を駆動することによって、被検体Ｐの撮像を行う。ここで、シーケンス情報は、撮像を行うための手順を定義した情報である。シーケンス情報には、傾斜磁場電源１０４が傾斜磁場コイル１０３に供給する電流の強さや電流を供給するタイミング、送信回路１０８が送信コイル１０７に供給するＲＦパルスの強さやＲＦパルスを印加するタイミング、受信回路１１０が磁気共鳴信号を検出するタイミング等が定義される。例えば、シーケンス制御回路１２０は、ＡＳＩＣ（Application  Specific  Integrated  Circuit）、ＦＰＧＡ（Field  Programmable  Gate  Array）等の集積回路、ＣＰＵ（Central  Processing  Unit）、ＭＰＵ（Micro  Processing  Unit）等の電子回路である。  シーケンス制御回路１２０は、シーケンス制御部の一例である。
【００２７】
なお、シーケンス制御回路１２０は、傾斜磁場電源１０４、送信回路１０８及び受信回路１１０を駆動して被検体Ｐを撮像した結果、受信回路１１０から磁気共鳴データを受信すると、受信した磁気共鳴データを画像処理装置１３０へ転送する。
【００２８】
画像処理装置１３０は、磁気共鳴イメージング装置１００の全体制御や、画像の生成等を行う。画像処理装置１３０は、メモリ１３２、入力装置１３４、ディスプレイ１３５、処理回路１５０を備える。処理回路１５０は、インタフェース機能１５０ａ、制御機能１５０ｂ、生成機能１５０ｃ及び後述する警告機能１５０ｄを備える。
【００２９】
実施形態では、インタフェース機能１５０ａ、制御機能１５０ｂ、生成機能１５０ｃ、警告機能１５０ｄにて行われる各処理機能は、コンピュータによって実行可能なプログラムの形態でメモリ１３２へ記憶されている。処理回路１５０はプログラムをメモリ１３２から読み出し、実行することで各プログラムに対応する機能を実現するプロセッサである。換言すると、各プログラムを読みだした状態の処理回路１５０は、図１の処理回路１５０内に示された各機能を有することになる。なお、図１においては単一の処理回路１５０にて、インタフェース機能１５０ａ、制御機能１５０ｂ、生成機能１５０ｃ、警告機能１５０ｄにて行われる処理機能が実現されるものとして説明したが、複数の独立したプロセッサを組み合わせて処理回路１５０を構成し、各プロセッサがプログラムを実行することにより機能を実現するものとしても構わない。
【００３０】
換言すると、上述のそれぞれの機能がプログラムとして構成され、１つの処理回路が各プログラムを実行する場合であってもよいし、特定の機能が専用の独立したプログラム実行回路に実装される場合であってもよい。
【００３１】
上記説明において用いた「プロセッサ」という文言は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃａｌ  Ｐｒｏｃｅｓｓｉｎｇ  Ｕｎｉｔ）或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ），及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。プロセッサはメモリ１３２に保存されたプログラムを読み出し実行することで機能を実現する。
【００３２】
なお、警告機能１５０ｄは、警告部または判定部の一例である。
【００３３】
なお、メモリ１３２にプログラムを保存する代わりに、プロセッサの回路内にプログラムを直接組み込むよう構成しても構わない。この場合、プロセッサは回路内に組み込まれたプログラムを読み出し実行することで機能を実現する。なお、寝台制御回路１０６、送信回路１０８、受信回路１１０等も同様に、上記のプロセッサ等の電子回路により構成される。
【００３４】
処理回路１５０は、インタフェース機能１５０ａにより、シーケンス情報をシーケンス制御回路１２０へ送信し、シーケンス制御回路１２０から磁気共鳴データを受信する。また、インタフェース機能１５０ａを有する処理回路１５０は、磁気共鳴データを受信すると、受信した磁気共鳴データをメモリ１３２に格納する。メモリ１３２に格納された磁気共鳴データは、制御機能１５０ｂによってｋ空間に配置される。この結果、メモリ１３２は、ｋ空間データを記憶する。
【００３５】
メモリ１３２は、インタフェース機能１５０ａを有する処理回路１５０によって受信された磁気共鳴データや、制御機能１５０ｂを有する処理回路１５０によってｋ空間に配置されたｋ空間データ、生成機能１５０ｃを有する処理回路１５０によって生成された画像データ等を記憶する。例えば、メモリ１３２は、ＲＡＭ（Random  Access  Memory）、フラッシュメモリ等の半導体メモリ素子、ハードディスク、光ディスク等である。  なお、メモリ１３２は、記憶部の一例である。
【００３６】
入力装置１３４は、操作者からの各種指示や情報入力を受け付ける。入力装置１３４は、入力装置３と同様に、例えば、マウスやトラックボール等のポインティングデバイス、モード切替スイッチ等の選択デバイス、あるいはキーボード等の入力デバイスである。ディスプレイ１３５は、制御機能１５０ｂを有する処理回路１５０による制御の下、撮像条件の入力を受け付けるためのＧＵＩ（Graphical  User  Interface）や、生成機能１５０ｃを有する処理回路１５０によって生成された画像等を表示する。ディスプレイ１３５は、例えば、液晶表示器等の表示デバイスである。
【００３７】
処理回路１５０は、制御機能１５０ｂにより、磁気共鳴イメージング装置１００の全体制御を行い、撮像や画像の生成、画像の表示等を制御する。例えば、制御機能１５０ｂを有する処理回路１５０は、撮像条件（撮像パラメータ等）の入力をＧＵＩ上で受け付け、受け付けた撮像条件に従ってシーケンス情報を生成する。また、制御機能１５０ｂを有する処理回路１５０は、生成したシーケンス情報をシーケンス制御回路１２０へ送信する。
【００３８】
処理回路１５０は、生成機能１５０ｃにより、ｋ空間データをメモリ１３２から読み出し、読み出したｋ空間データにフーリエ変換等の再構成処理を施すことで、画像を生成する。
【００３９】
続いて、実施形態に係る背景について簡単に説明する。
【００４０】
磁気共鳴イメージング装置には、ＥＲＤＵ（Ｅｍｅｒｇｅｎｃｙ  Ｒｕｎ  Ｄｏｗｎ  Ｕｎｉｔ）ボタンが設けられる。ＥＲＤＵボタンは、磁場を緊急停止するためのボタンである。ＥＲＤＵボタンが押されると、磁気共鳴イメージング装置の静磁場磁石の巻線の温度を上昇させるヒーター回路に電流が流れる。この電流による熱により超電導状態が破壊されコイルが常伝導状態になることで、磁場が緊急遮断される。
【００４１】
一方で、磁場を緊急停止する必要がある場合以外の状況では、静磁場電源を用いた消磁により、磁場を遮断することもできる。ＥＲＤＵボタンを押して磁場を緊急停止した場合、例えば冷媒の液体ヘリウムが蒸発し、多額の費用負担が生じる場合があるので、特に緊急性がない場合においては、ＥＲＤＵボタンを用いた磁場の遮断ではなく、静磁場電源を用いた磁場の遮断のほうが望ましい。しかしながら、ユーザの知識の不足や、パニック状態に陥ること等により、特に緊急性がない状況においても、ＥＲＤＵボタンを押すことにより磁場の遮断が行われることがあった。
【００４２】
従って、第１に、不要にＥＲＤＵボタンが押されるのを防ぐしくみがあることが望ましい。
【００４３】
また、第２に、ＥＲＤＵボタンが押された場合には、ＥＲＤＵボタンがユーザによって意図的に押されたことを記録しておくことが望ましい。これは、例えば緊急消磁によって失われた液体ヘリウムの再充填に係る費用負担責任の所在を明らかにする上で有用である。
【００４４】
また、第３に、ＥＲＤＵボタンを押すことで、磁場が突然遮断されることになり、これに伴い、磁場消失時に、磁性体などが落下することもある。従って、これらの点について、ユーザに注意を喚起することが望ましい。
【００４５】
かかる背景に鑑みて、実施形態に係る磁気共鳴イメージング装置１００は、静磁場磁石
１０１と、ヒーター回路２と、ＥＲＤＵボタン１と、警告部とを備える。静磁場磁石１０１は、超電導コイルを有する。ヒーター回路２は、超電導コイルの巻線内に又は超電導コイルの巻線に近接して配置される。ＥＲＤＵボタン１は、ユーザから押される動作を検出した場合に、ヒーター回路２に電流を供給するボタンである。警告部は、当該動作の予備動作及び当該動作のうち少なくとも一方をトリガとして、ユーザに向けて警告を発する。
【００４６】
この結果、第１に、不必要にＥＲＤＵボタン１が押されることが減り、液体ヘリウムの消費を抑えることができる。第２に、ユーザがＥＲＤＵボタン１を押す意思があったか否かを確認できるので、液体ヘリウムに係る費用の負担責任に係るトラブルの発生を低減することができる。第３に、ユーザの怪我等をする可能性を低減することができる。
【００４７】
かかる処理について、図４Ａ〜図６を適宜参照しながら、図３を用いて説明する。図３は、第１の実施形態に係る磁気共鳴イメージング装置の行う処理を示したフローチャートである。
【００４８】
ステップＳ１００において、磁気共鳴イメージング装置１００は、ユーザの動作を検出するセンサ１２により、ＥＲＤＵボタン１がユーザにより押される動作の予備動作を検出する。ここで、ＥＲＤＵボタン１が押される動作の予備動作とは、例えば、ＥＲＤＵボタン１に近づく動作、ＥＲＤＵボタン１に触れようとする動作、ＥＲＤＵボタン１を押す動作の前段階としての、ＥＲＤＵボタン１に触れる動作などの動作が挙げられる。図４Ａ〜図４Ｄに、これらの予備動作の具体例と、これらの予備動作を検出するセンサ１２の構成の例が示されている。図４Ａ〜図４Ｄは、第１の実施形態に係るセンサ１２の例について説明した図である。
【００４９】
図４Ａは、センサ１２がＥＲＤＵボタン１を覆う容器の蓋１０に取り付けられる場合について示している。かかる場合、センサ１２は、ＥＲＤＵボタン１を覆う容器の蓋を開ける動作を、ＥＲＤＵボタン１がユーザにより押される動作の予備動作として検出する。磁気共鳴イメージング装置１００は、ＥＲＤＵボタン１を覆う容器の蓋１０に取り付けられたセンサ１２を用いて、ＥＲＤＵボタン１がユーザにより押される動作の予備動作を検出する。なお、蓋１０の近くに、ユーザに警告を発するためのスピーカー７が配置される。予備動作が検出されると、スピーカー７は、ブザー音または音声ガイドにより、ユーザに警告を発する。
【００５０】
図４Ｂは、センサ１２が、バルーン１１に取り付けられた、圧電効果、伸縮、圧力などを感知することのできるセンサである場合について示している。かかる場合、センサ１２は、ユーザがバルーン１１に接触する動作を、ＥＲＤＵボタン１がユーザにより押される動作の予備動作として検出する。図４Ｂにおいて、磁気共鳴イメージング装置１００は、ＥＲＤＵボタン１を覆う変形可能な素材に取り付けられたセンサ１２を用いて、ＥＲＤＵボタン１がユーザにより押される動作の予備動作を検出する。
【００５１】
図４Ｃは、センサ１２が、ＥＲＤＵボタン１に手を触れた動作を検出するセンサである場合について示している。かかる場合、センサ１２は、例えば、容量結合型センサや、静電型センサである。センサ１２は、ユーザがＥＲＤＵボタン１に手を触れた動作を、ＥＲＤＵボタン１がユーザに押される動作の予備動作として検出する。換言すると、センサ１２は、ＥＲＤＵボタン１が「押される」前段階として、ユーザがＥＲＤＵボタン１に「手を触れた」動作を、ＥＲＤＵボタン１がユーザにより押される動作の予備動作として検出する。すなわち、磁気共鳴イメージング装置１００は、容量結合型センサや、静電型センサを用いて、ＥＲＤＵボタン１がユーザにより押される動作の予備動作を検出する。
【００５２】
図４Ｄは、センサ１２が、ユーザに近づいた動作を検出するセンサ、例えば、光や音波などを用いたセンサである場合について示している。かかる場合、センサ１２は、ユーザがＥＲＤＵボタン１から一定距離以内に近づいた動作を、ＥＲＤＵボタン１がユーザにより押される動作の予備動作として検出する。すなわち、磁気共鳴イメージング装置１００は、光や音波を用いて、ＥＲＤＵボタン１がユーザにより押される動作の予備動作を検出する。
【００５３】
なお、上述した例において、センサ１２は、磁気共鳴イメージング装置１００の構成要素として含まれている場合であってもよいし、含まれていない場合であってもよい。以下の実施形態では、センサ１２は、磁気共鳴イメージング装置１００の構成要素に含まれているものとして説明する。
【００５４】
図３に戻り、センサ１２がＥＲＤＵボタン１が押される動作の予備動作を検知しない場合、（ステップＳ１００  Ｎｏ）、センサ１２は、ＥＲＤＵボタン１が押される動作の予備動作を検知するまで待機する。
【００５５】
なお、ユーザからＥＲＤＵボタン１が押される動作の予備動作を検知していない状態で、ＥＲＤＵボタン１が押された場合、当該予備動作を検知していないことは、ＥＲＤＵボタン１が押された後の磁場遮断の処理には原則として影響を与えず、静磁場磁石１０１の磁場は、緊急遮断される。
【００５６】
センサ１２がＥＲＤＵボタン１が押される動作の予備動作を検知した場合には、（ステップＳ１００  Ｙｅｓ）、かかる信号は、画像処理装置１３０の処理回路１５０へと送信される。続いて、警告機能１５０ｄを有する処理回路１５０は、ステップＳ１００で検出された、ＥＲＤＵボタン１がユーザから押される動作の予備動作をトリガとして、スピーカー７を通じて、ユーザに向けて警告を発する。（ＳｔｅｐＳ１１０）。具体的には、警告機能１５０ｄを有する処理回路１５０は、スピーカー７にブザー音を発生させるための信号を送信する。ブザー音を発生させるための信号を受信したスピーカー７は、ブザー音を発生することにより、ユーザの注意を喚起する。なお、ステップＳ１１０及びステップＳ１２０において、処理回路１５０が、警告機能１５０ｄにより、ユーザに向けて警告を発した場合、処理回路１５０は、他のコンピュータに、センサ１２が、ＥＲＤＵボタン１が押される動作の予備動作を検知した旨のメッセージを通知する。ここで、他のコンピュータとは、例えば磁気共鳴イメージング装置１００に備え付けられたコンピュータであるホストコンピュータや、ホストコンピュータ以外のコンピュータであって、パルスシーケンスを実行するシーケンス制御回路１２０と通信可能なコンピュータであるサービスコンピュータである。
【００５７】
続いて、警告機能１５０ｄを有する処理回路１５０は、スピーカー７に音声ガイドを開始させ、またはディスプレイ４にガイドを開始させる。あわせて、入力装置３は、ユーザからの入力を受け付ける。（ステップＳ１２０）。
【００５８】
ここで、処理回路１５０は、警告機能１５０ｄにより、ユーザがＥＲＤＵボタン１を押した場合の注意事項を音声ガイドとして流すための信号を、スピーカー７に送信する。例えば、処理回路１５０は、警告機能１５０ｄにより、磁場の消失に伴う物体の落下についてユーザに注意を促す音声に係る信号を、スピーカー７に送信する。当該信号を受信したスピーカー７は、磁場の消失に伴う物体の落下についてユーザに注意を促す音声により、ユーザに向けて警告を発する。一例として、処理回路１５０は、警告機能１５０ｄにより、スピーカー７に、「ＥＲＤＵボタンを押した場合、磁場消失時に、突然磁性体などが落下することがあります。磁性体が落下することに対する防止策を取ってください。」という音声を、音声ガイドとして流させる。
【００５９】
また、音声ガイドの別の例として、処理回路１５０は、警告機能１５０ｄにより、緊急以外の場合においては、ＥＲＤＵボタン１を押さなくても磁場を停止することが可能である旨の説明を、スピーカー７に対して、音声ガイドとして流させる。例えば、処理回路１５０は、警告機能１５０ｄにより、スピーカー７に、「ＥＲＤＵボタンを押すと、ヘリウムが消失します。緊急以外の場合は、静磁場電源で消磁することにより、磁場を停止することができます。」という音声を、音声ガイドとして流させる。
【００６０】
なお、処理回路１５０が警告機能１５０ｄによりスピーカー７に流させる音声ガイドは、多言語に対応していてもよい。この時、当該音声ガイドにて使われる言語は、例えば、磁気共鳴イメージング装置１００の据え付け地域に応じてあらかじめ設定された優先順位に基づいて流される。例えば、据え付け地域がアメリカ合衆国であった場合、国名「アメリカ合衆国」に対して、言語「英語」が、優先順位の高い言語としてあらかじめ設定されているので、処理回路１５０は、警告機能１５０ｄにより、スピーカー７に、英語の音声ガイドを流させる。
【００６１】
また、処理回路１５０は、入力装置１３４を通じて、ユーザから流される音声ガイドの言語の変更を受け付け、受け付けた結果に基づいて、ステップＳ１２０においてスピーカー７に流させる音声ガイドの言語を変更してもよい。
【００６２】
また、処理回路１５０は、例えば図示しないマイクから取得したユーザの会話の内容から、ユーザの話す言語を自動検出し、検出した結果に基づいて、スピーカー７に流させる音声ガイドの言語を変更してもよい。
【００６３】
また、処理回路１５０は、警告機能１５０ｄにより、音声ガイドに代えて、または音声ガイドとあわせて、ディスプレイ４にユーザに警告を表示させる。例えば、処理回路１５０は、警告機能１５０ｄにより、磁場消失時に、磁性体が落下するおそれがある旨の警告を、ディスプレイ４に表示させる。
【００６４】
図５に、かかる画面の一例が示されている。処理回路１５０は、警告機能１５０ｄにより、ディスプレイ４として機能するタッチパネル２００の表面画面上に、メッセージ２０ｂを表示させることにより、ディスプレイ４にユーザに対する警告を表示させる。例えば、処理回路１５０は、警告機能１５０ｄにより、ディスプレイ４として機能するタッチパネル２００の表示画面上に、「磁場消失時に、突然磁性体などが落下することがあります。十分をつけてください。」という内容のメッセージ２０ｂを表示させることにより、ユーザに警告を表示させる。このように、ユーザに注意を促すメッセージを表示することで、安全性を高めることができる。
【００６５】
また、別の例として、処理回路１５０は、警告機能１５０ｄにより、緊急以外の場合においては、ＥＲＤＵボタン１を押さなくても磁場を停止することが可能である旨の説明を、ディスプレイ４に表示させる。
【００６６】
図６に、かかる画面の一例が示されている。処理回路１５０は、警告機能１５０ｄにより、ディスプレイ４として機能するタッチパネル２００の表示画面上に、メッセージ２０ａを表示させることにより、ディスプレイ４に対してユーザに警告を表示させる。例えば、処理回路１５０は、警告機能１５０ｄにより、ディスプレイ４として機能するタッチパネル２００の表示画面上に、「ＥＲＤＵボタンを押すと、ヘリウムが消失します。緊急以外の場合は、静磁場電源で消磁することにより、磁場を停止することができます。本当にＥＲＤＵボタンを押しますか？」という内容のメッセージ２０ａを表示させることにより、ユーザに警告を表示させる。
【００６７】
このように、緊急以外の場合においては、ユーザがＥＲＤＵボタン１を押さなくても磁場を遮断する方法がある旨の警告をユーザに行うことで、例えば装置に関する知識のないユーザは、必ずしもＥＲＤＵボタン１を押さなくてもいい場面があることに気が付くことができる。また、パニックになっているユーザは、どのような行動を取ればよいかを落ち着いて判断する機会を与えられる。従って、実施形態に係る磁気共鳴イメージング装置１００によると、不要な場面でユーザがＥＲＤＵボタン１を押す回数を減らすことができる。
【００６８】
また、実施形態によっては、処理回路１５０は、判定部としての警告機能１５０ｄにより、ユーザに、ディスプレイ４に、ボア内を確認可能なカメラ５から得られた情報を表示させてもよい。例えば判定部としての警告機能１５０ｄが、カメラ５から得られた情報を、画像解析することによってボア内における人の有無を判定する。そして、その判定結果に基づいて、ユーザがＥＲＤＵボタン１を押すことが適切であるかどうかの情報を表示する。
【００６９】
また、音声や画面上のガイドとあわせて、入力装置３は、ユーザからの入力を受け付ける（ステップＳ１３０）。例えば、処理回路１５０が警告機能１５０ｄにより、ディスプレイ４として機能するタッチパネル２００の表示画面上に、「ＥＲＤＵボタンを押すと、ヘリウムが消失します。人命に関わる緊急事態でない場合は、静磁場電源で消磁することにより、磁場を停止することができます。本当にＥＲＤＵボタンを押しますか？」という内容のメッセージを表示させた場合、入力装置３は、タッチパネル２００の表示画面上に表示されるボタン２１、２２、２３を通じて、ユーザからの入力を受け付ける。これにより、ユーザの意思を確認することができ、後にＥＲＤＵボタン１が押された時に、ＥＲＤＵボタン１を押す意思があったかどうかに関するトラブルを防止することができる。
【００７０】
具体的には、例えば、ユーザが、ボタン２１を押した場合において、後にＥＲＤＵボタン１が押された場合に、ユーザが、ＥＲＤＵボタン１を押さず静磁場電源で消磁する選択肢があることを認識したうえで、それでもなおＥＲＤＵボタン１を押して磁場遮断を行いたい旨の意思を持っていたことが確認できる。一方、例えば、ユーザがボタン２２を押した場合、ユーザは、ＥＲＤＵボタン１を押さない意思を有していたことが確認できる。なお、ユーザがボタン２３を押した場合、サービスセンターとの通話が開始される。
【００７１】
このように、処理回路１５０がディスプレイ４に、ユーザに対する警告を表示させた場合、入力装置３は、ユーザからの入力を受け付ける。続いて、入力装置３は、ユーザから受け付けた入力内容を、画像処理装置１３０に送信する。画像処理装置１３０の有する、記憶部としてのメモリ１３２は、入力装置３から受信したユーザから受け付けた入力の内容を記録する（ステップＳ１３０）。
【００７２】
このように、ユーザが受け付けた入力の内容をメモリ１３２が記憶し保存することで、ＥＲＤＵボタン１がもし押された場合、ＥＲＤＵボタン１が押されたのがユーザの意思であるのか否かを客観的に確認することができる。
【００７３】
なお、ステップＳ１２０において、入力装置３は、ＥＲＤＵボタン１が押されたか否かにかかわらず、ユーザから入力を受け付ける。また、ステップＳ１４０において、メモリ１３２は、ＥＲＤＵボタン１が押されたか否かに関わらず、ステップＳ１３０でユーザから受け付けた入力を記録する。このように、ＥＲＤＵボタン１が押された後に、すなわち事後的にであっても、入力装置３は、ユーザからの入力を受け付ける。これにより、ユーザがＥＲＢＵボタン１が押す意思を有していたか否かを、把握することが可能になる。
【００７４】
続いて、処理回路１５０は、ＥＲＤＵボタン１が押されない場合（ステップ１４０  Ｎｏ）、特に処理は行われず、処理は終了する。一方、ＥＲＤＵボタン１が押された場合、（ステップＳ１５０Ｙｅｓ）、磁場が緊急遮断される。さらに、ディスプレイ４は、ユーザに、例えば図５のような内容の警告を表示する。加えて、処理回路１５０は、画像処理装置１３０が接続されているネットワークを通じて、他のコンピュータと接続し、当該他のコンピュータに、ＥＲＤＵボタン１が押されたことを通知する。ここで、他のコンピュータとは、例えばサービスセンターのコンピュータであり、ＥＲＤＵボタン１が押されたことを示す情報を受け取ったサービスセンターはサービスマンを現場に急行させる。
【００７５】
図７に、かかる画面の一例が示されている。図７は、第１の実施形態に係る磁気共鳴イメージング装置１００が通知する画面の一例を示した図である。ステップＳ１５０においてＥＲＤＵボタン１が押された場合、処理回路１５０は、画像処理装置１３０が接続されているネットワークを通じて、他のコンピュータと接続し、当該他のコンピュータの画面９ａ上に、ＥＲＤＵボタン１が押された旨のメッセージ２０ｇを、カメラ５より得られた映像２８とともに表示する。
【００７６】
以上のように、第１の実施形態に係る磁気共鳴イメージング装置１００によれば、不必要にＥＲＤＵボタン１が押されることが減り、液体ヘリウムの消費を抑えることができる。また、ユーザがＥＲＤＵボタン１を押す意思があったか否かを確認できるので、液体ヘリウムに係る費用の負担責任に係るトラブルの発生を低減することができる。加えて、ユーザに警告を行うことで、磁気共鳴イメージング装置１００の安全性を高めることができる。
【００７７】
なお、実施形態は上述した例に限られない。
【００７８】
実施形態において、ステップＳ１１０及びステップＳ１２０において、磁気共鳴イメージング装置１００が、センサ１２を通じて、ＥＲＤＵボタン１がユーザにより押される動作の予備動作を検出した場合、ステップＳ１１０でユーザに警告音を発生し、ステップＳ１２０で音声ガイドを開始する場合について説明したが、実際形態はこれに限られない。すなわち、磁気共鳴イメージング装置１００は、ＥＲＤＵボタン１がユーザにより押される動作を検出した場合、ＥＲＤＵボタン１がユーザにより押される動作をトリガとして、ユーザに向けて上述した警告を発しても良い。
【００７９】
実施形態において、ステップＳ１１０のようにまず警報音が鳴り、その後、ステップＳ１２０で示されるに音声ガイドが開始される場合で説明したが、実施形態はこれに限られない。例えば、処理回路１５０は、ステップＳ１１０及びステップＳ１２０を同時に実行し、警告機能１５０ｄにより、ブザー音と音声ガイドを同時にユーザに流すことによりユーザに警報を発してもよい。また、処理回路１５０は、警告機能１５０ｄにより、ステップＳ１２０の処理を行ったのち、ステップＳ１１０の処理を行ってもよい。
【００８０】
（第２の実施形態）
第１の実施形態においては、センサ１２の情報を基に、処理回路１５０がユーザに警告を発する場合について説明した。第２の実施形態においては、荷重センサ６やカメラ５から得られる情報に基づいて、処理回路１５０が図２のステップＳ１１０及びステップＳ１２０においてユーザに警告する内容を変更する場合について説明する。
【００８１】
具体的には、第２の実施形態に係る磁気共鳴イメージング装置１００では、処理の流れは図３のフローチャートですでに示されたものとおおむね同様であるが、図２で示される荷重センサ６から得られる情報に基づいて、処理回路１５０が、警告機能１５０ｄにより、ステップＳ１１０及びステップＳ１２０においてユーザに発する警告の内容を変化させる。ここで荷重センサ６とは、図２に示されるように、寝台及び外装のうち少なくとも一方に配置される、荷重を測定するセンサである。例えば点滴スタンド、酸素ボンベ、ストレッチャー、車椅子などの大型磁性体が誤って吸着された場合、荷重センサ６が示す荷重は、異常な荷重となる。一方で、ボールペン、ヘアピン、クリップ、ハサミなどの小型磁性体が誤って吸着された場合、両者は吸着事故という点では同一ではあるが、事故の重大さという観点では異なったものになる。従って、処理回路１５０は、警告機能１５０ｄにより、荷重センサ６から得られる情報に基づいて、ユーザに警告する内容を変更する。
【００８２】
図８は、第２の実施形態に係る磁気共鳴イメージング装置において表示される画面の一例を示した図である。荷重センサ６は、例えば点滴スタンド、酸素ボンベ、ストレッチャー、車椅子などの大型磁性体が誤って吸着された場合の荷重変化に相当する荷重変化を検出した場合、例えば電磁力などによる荷重が一定の閾値を超えた場合、異常な荷重が検知されたと判断する。かかる場合、荷重センサ６は、異常な荷重が検知された旨の情報を、処理回路１５０に送信する。荷重センサ６から異常な荷重が検知された旨の情報を受信した処理回路１５０は、警告機能１５０ｄにより、ディスプレイ４に、荷重センサ６から異常な荷重が検知された旨の情報を表示させる。具体的には、図８に示されているように、処理回路１５０は、警告機能１５０ｄにより、ディスプレイ４に「寝台装置に、異常な荷重が検知されました」という内容の情報を表示させる。
【００８３】
一方、荷重センサ６が、例えばボールペン、ヘアピン、クリップ、ハサミなどの小型磁性体が誤って吸着された場合の荷重変化に相当する荷重変化を検出した場合、荷重の変化は軽微であると判断する。かかる場合、荷重センサ６は、荷重変化が正常範囲内である旨の情報を、処理回路１５０に送信する。この場合、警告機能１５０ｄを有する処理回路１５０は、荷重変化が正常範囲内であると判断し、ユーザに対して特段の警告を行わない。
【００８４】
また、処理回路１５０は、警告機能１５０ｄにより、荷重センサ６から得られる情報を、人の有無を確認するために用いても良い。例えば、処理回路１５０は、警告機能１５０ｄにより、荷重センサ６から得られる情報を元に、ボア内に人がいると判断したときのみ、ボア内に人が残っている旨のメッセージをディスプレイ４に表示させ、ボア内に人がいないと判断時には、ユーザに対して特段の警告を行わない。
【００８５】
次に、処理回路１５０が、カメラ５から得られる情報に基づいて、ユーザに警告する内容を変更する場合について説明する。具体的には、カメラ５から得られた情報をカメラ５から取得した処理回路１５０は、警告機能１５０ｄにより、カメラ５から得られた情報より得られた画像から、ボア内または撮影室内の人の存在の有無を自動的に検知し、検知結果に基づいて、ユーザに発する警告の内容を変化させる。かかる例の具体例が、図９に示されている。
【００８６】
上述した通り、荷重センサ６の荷重が一定の閾値を超えた場合、異常な荷重が検知されたと判断し、異常な荷重が検知された旨の情報を処理回路１５０に送信する。処理回路１５０は、警告機能１５０ｄにより、ディスプレイ４に、寝台装置に異常な荷重が検知された旨のメッセージ２０ｄを表示させる。
【００８７】
一方、処理回路１５０は、警告機能１５０ｄにより、カメラ５より取得した情報より得られた画像２５を、ディスプレイ４に表示させる。また、処理回路１５０は、警告機能１５０ｄにより、カメラ５から得られた情報より得られた画像２５から、ボア内または撮影室内の人の存在の有無を自動的に検知する。処理回路１５０は、警告機能１５０ｄにより、ボア内に人がいる旨を検知した場合、ボア内に人が残っている旨のメッセージ２０ｅを表示させる。
【００８８】
また、処理回路１５０は、警告機能１５０ｄにより、荷重センサ６から得られた、異常な荷重が検知された旨の情報と、カメラ５から得られた情報から得られた、ボア内に人がいる旨の情報とから、今すぐＥＲＤＵボタンを押して磁場の遮断をすることが必要と判断する。従って、処理回路１５０は、警告機能１５０ｄにより、ＥＲＤＵボタンを押して磁場の遮断をすることをユーザに促す旨のメッセージ２０ｆをディスプレイ４に表示させる。ユーザは、これらの情報を元に、ＥＲＤＵボタンを押すか否かを決定することができる。なお、処理回路１５０は、警告機能１５０ｄにより、図７の場合と同様に、画像処理装置１３０が接続されているネットワークと通じて、他のコンピュータと接続し、当該他のコンピュータの画面上に、上述のメッセージを表示させてもよい。
【００８９】
このように、第２の実施形態においては、警告機能１５０ｄを有する処理回路１５０は、荷重センサ６より得られた情報や、カメラ５より得られた情報に基づいて、ユーザに通知するメッセージを異ならせる。これにより、ユーザは、ＥＲＤＵボタンを押すべきか押さないべきかの判断を効率良く行うことができる。
【００９０】
（その他の実施形態）
第１の実施形態及び第２の実施形態においては、予備動作を検知したか否かや、ユーザからの入力が、ＥＲＤＵボタン１が押された後の磁場遮断の処理には影響を与えない場合について説明したが、実施形態はこれに限られない。例えば、処理回路１５０は、ステップＳ１００でユーザからＥＲＤＵボタン１が押される動作の予備動作を検知したか否かに応じて、ＥＲＤＵボタン１が押された後の磁場遮断処理の内容を変更してもよい。
【００９１】
一例として、処理回路１５０は、ステップＳ１００でユーザから予備動作を検出しなかった場合、誤作動である可能性が高いとして、ＥＲＤＵボタン１がその後押されたとしても、磁場遮断を行わない。また、処理回路１５０は、ユーザから受け付けた入力に基づいて、ＥＲＤＵボタン１が押された後の磁場遮断処理の内容を変更してもよい。例えば、処理回路１５０が、入力装置３を通じてユーザから、「ＥＲＤＵボタン１を押す」旨の入力を受け付けた場合、磁気共鳴イメージング装置１００は、ＥＲＤＵボタン１が押されるのを待たず、緊急磁場遮断を行う。逆に、処理回路１５０が、入力装置３を通じてユーザから、「ＥＲＤＵボタン１を押さない」旨の入力を受け付けた場合、磁気共鳴イメージング装置１００は、その後ＥＲＤＵボタン１が押されたとしても、ボタンの誤作動である可能性が高いとして、磁場遮断を行わない。
【００９２】
また、処理回路１５０は、カメラ５から得られた情報や荷重センサ６から得られた情報など、各種のセンサより得られた内容に基づいて、ＥＲＤＵボタン１が押された後の磁場遮断処理の内容を変更してもよい。この際、処理回路１５０は、画像処理装置１３０の有する入力装置１３４や、入力装置３と接続されたサービスセンターやサポートセンターの端末の入力装置など、入力装置３とは別の入力装置から入力された情報に基づいて、ＥＲＤＵボタン１が押された後の磁場遮断処理の内容を変更してもよい。例えば、別のコンピュータを操作するユーザの判断で緊急磁場遮断を行うとした場合、当該ユーザの入力装置から入力された情報に基づいて、磁気共鳴イメージング装置１００は、ＥＲＤＵボタン１が押されるのを待たず、磁場を緊急で遮断する。
【００９３】
また、処理回路１５０は、ユーザからＥＲＤＵボタン１が押される動作の予備動作を検知したか否か、ユーザから受け付けた入力、入力装置３とは別の入力装置から入力された情報のうち２以上を用いて、ＥＲＤＵボタン１が押された後の磁場遮断処理の内容を変更してもよい。
【００９４】
第２の実施形態において、カメラ５が、ボア内を確認可能なカメラである場合について説明したが、カメラ５としては、上述の例に限られない。例えば、磁気共鳴イメージング装置１００が設定されている部屋の四隅に配置され、ユーザが状況をより多角的に判断できるようにしてもよい。
【００９５】
また、実施形態では、カメラ５が、磁気共鳴イメージング装置１００の構成として予め含まれている場合について説明したが、実施形態はこれに限られない。磁気共鳴イメージング装置１００とは別途用意されたカメラが、カメラ５として構成されていてもよい。
【００９６】
以上説明した少なくとも１つの実施形態によれば、不必要な緊急磁場遮断を減らすことができる。
【００９７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９８】
１０１  静磁場磁石
１  ＥＲＤＵボタン  
２  ヒーター回路
１５０  処理回路
１５０ｄ  警告機能
【図１】
2020044032.tif 000003
【図２】
2020044032.tif 000004
【図３】
2020044032.tif 000005
【図４Ａ】
2020044032.tif 000006
【図４Ｂ】
2020044032.tif 000007
【図４Ｃ】
2020044032.tif 000008
【図４Ｄ】
2020044032.tif 000009
【図５】
2020044032.tif 000010
【図６】
2020044032.tif 000011
【図７】
2020044032.tif 000012
【図８】
2020044032.tif 000013
【図９】
2020044032.tif 000014